(57)【要約】【課題】保存済みの画像であっても容易に外部装置に送信すること。【解決手段】撮像装置１は、画像処理部５４と、撮像部１６−１と、第２通信部２１−１と、設定処理部５１と、通信制御部５７と、を備える。画像処理部５４は、撮像部１６−１により撮像される画像を取得して、撮影画像を生成する。第２通信部２１−１は、撮影画像を外部装置に送信する。設定処理部５１と、所定の条件を設定する。通信制御部５７は、所定の条件が設定されたことを契機として、保存されている保存画像であって、設定された所定の条件を満たす保存画像を外部装置に送信するように、第２通信部２１−１を制御し、所定の条件が設定された後、撮影指示を契機として、画像処理部５４に撮影画像を生成させるとともに、その生成された当該撮影画像が所定の条件を満たす場合に、その生成された当該撮影画像を外部装置に送信するように、第２通信部２１−１を制御する。【選択図】図３
2017157936.tif 000002
【特許請求の範囲】
【請求項１】
撮像手段により撮像される画像を取得して、撮影画像を生成する撮影手段と、
前記撮影画像を外部装置に送信する画像送信手段と、
所定の条件を設定する設定手段と、
前記設定手段により所定の条件が設定されたことを契機として、保存されている保存画像であって、当該設定手段により設定された前記所定の条件を満たす保存画像を外部装置に送信するように、前記画像送信手段を制御する第１の制御手段と、
前記設定手段により前記所定の条件が設定された後、撮影指示を契機として、前記撮影手段に前記撮影画像を生成させるとともに、その生成された当該撮影画像が当該設定手段により設定されている当該所定の条件を満たす場合に、その生成された当該撮影画像を前記外部装置に送信するように、前記画像送信手段を制御する第２の制御手段と、
を備えることを特徴とする撮像装置。
【請求項２】
前記設定手段により設定される前記所定の条件は、表示手段に表示している前記保存画像の内容及び関連する情報のうち少なくともいずれかに基づき、設定される、
ことを特徴とする請求項１に記載の撮像装置。
【請求項３】
前記第１の制御手段は、前記設定手段により前記所定の条件が設定されたことを契機として、前記表示手段に表示している前記保存画像を前記外部装置に送信するように、前記画像送信手段を制御する、
ことを特徴とする請求項２に記載の撮像装置。
【請求項４】
前記第１の制御手段は、前記設定手段により前記所定の条件が設定されたことを契機として、前記撮影手段により生成された時点では当該所定の条件を満たさない前記撮影画像であって、前記第２の制御手段の制御によっては前記外部装置に送信されなかった当該保存画像が、当該設定手段により設定された当該所定の条件を満たす場合に、その保存画像を前記外部装置に送信するように、前記画像送信手段を制御する、
ことを特徴とする請求項２又は３に記載の撮像装置。
【請求項５】
前記設定手段が設定する前記所定の条件は、前記保存画像の内容である人物の顔と同じ人物の顔が含まれていることである、
ことを特徴とする請求項２乃至４の何れか１項に記載の撮像装置。
【請求項６】
使用者による所定の１操作に応じて、表示手段に表示している保存画像の内容及び関連する情報のうち少なくともいずれかに基づき、前記設定手段に前記所定の条件を設定させるとともに、その設定された当該所定の条件を満たす前記保存画像を前記外部装置に送信するように、前記画像送信手段を制御する第３の制御手段、を更に備える、
ことを特徴とする請求項１乃至５の何れか１項に記載の撮像装置。
【請求項７】
前記第３の制御手段は、前記画像送信手段による送信する処理が終了すると、前記所定の条件を、使用者による前記所定の１操作以前の状態に戻すように、前記設定手段を制御する、
ことを特徴とする請求項６に記載の撮像装置。
【請求項８】
前記設定手段が設定する前記所定の条件は、前記保存画像に関連する情報である撮影時刻に基づく所定の時間の範囲に含まれていることである、
ことを特徴とする請求項１乃至７の何れか１項に記載の撮像装置。
【請求項９】
前記設定手段により設定される前記所定の条件は、使用者により設定操作が行われる日に撮影されることである、
ことを特徴とする請求項１乃至８の何れか１項に記載の撮像装置。
【請求項１０】
前記所定の条件を満たすか否かを判定する処理を実行するために判定対象の形式を同一の形式に変更する変更手段、を更に備える、
ことを特徴とする請求項１乃至９の何れか１項に記載の撮像装置。
【請求項１１】
撮像手段と、画像送信手段とを備える撮像装置で実行される送信制御方法であって、
前記撮像手段により撮像される画像を取得して、撮影画像を生成する撮影処理と、
所定の条件を設定する設定処理と、
前記設定処理により所定の条件が設定されたことを契機として、保存されている保存画像であって、当該設定処理により設定された前記所定の条件を満たす保存画像を外部装置に送信するように、前記画像送信手段を制御する第１の制御処理と、
前記設定処理により前記所定の条件が設定された後、撮影指示を契機として、前記撮影処理において前記撮影画像を生成させるとともに、その生成された当該撮影画像が当該設定処理により設定されている当該所定の条件を満たす場合に、その生成された当該撮影画像を前記外部装置に送信するように、前記画像送信手段を制御する第２の制御処理と、
を含むことを特徴とする送信制御方法。
【請求項１２】
撮像手段と、画像送信手段とを備える撮像装置を制御するコンピュータに、
前記撮像手段により撮像される画像を取得して、撮影画像を生成する撮影機能と、
所定の条件を設定する設定機能と、
前記設定機能により所定の条件が設定されたことを契機として、保存されている保存画像であって、当該設定機能により設定された前記所定の条件を満たす保存画像を外部装置に送信するように、前記画像送信手段を制御する第１の制御機能と、
前記設定機能により前記所定の条件が設定された後、撮影指示を契機として、前記撮影機能で前記撮影画像を生成させるとともに、その生成された当該撮影画像が当該設定機能により設定されている当該所定の条件を満たす場合に、その生成された当該撮影画像を前記外部装置に送信するように、前記画像送信手段を制御する第２の制御機能と、
を実現させることを特徴とするプログラム。
【発明の詳細な説明】
【技術分野】
【０００１】
本発明は、撮像装置、送信制御方法及びプログラムに関する。
【背景技術】
【０００２】
従来より、デジタルカメラにより撮影された画像を、撮影した装置だけではなく、他の外部装置でも活用することが行われている。特許文献１では、他の外部装置でも活用するために画像が撮影されると自動的に外部装置に送信する技術が開示されている。
【先行技術文献】
【特許文献】
【０００３】
【特許文献１】特開２００２−３４２４６５号公報
【発明の概要】
【発明が解決しようとする課題】
【０００４】
しかしながら、上述した特許文献１に開示される技術では、撮影された画像は自動的に外部装置に送信することができるが、更に、保存済みの画像を外部装置に送信することまではできないという問題がある。
【０００５】
本発明は、このような状況に鑑みてなされたものであり、保存済みの画像であっても容易に外部装置に送信することを目的とする。
【課題を解決するための手段】
【０００６】
上記目的を達成するため、本発明の一態様の撮像装置は、
撮像手段により撮像される画像を取得して、撮影画像を生成する撮影手段と、
前記撮影画像を外部装置に送信する画像送信手段と、
所定の条件を設定する設定手段と、
前記設定手段により所定の条件が設定されたことを契機として、保存されている保存画像であって、当該設定手段により設定された前記所定の条件を満たす保存画像を外部装置に送信するように、前記画像送信手段を制御する第１の制御手段と、
前記設定手段により前記所定の条件が設定された後、撮影指示を契機として、前記撮影手段に前記撮影画像を生成させるとともに、その生成された当該撮影画像が当該設定手段により設定されている当該所定の条件を満たす場合に、その生成された当該撮影画像を前記外部装置に送信するように、前記画像送信手段を制御する第２の制御手段と、
を備えることを特徴とする。
【発明の効果】
【０００７】
本発明によれば、保存済みの画像であっても容易に外部装置に送信することができる。
【図面の簡単な説明】
【０００８】
【図１】本発明の一実施形態に係る撮影システムＳのシステム構成を示すシステム構成図である。
【図２】本発明の一実施形態に係る撮影システムＳの撮像装置１及び携帯端末２のハードウェアの構成を示すブロック図である。
【図３】図２の撮像装置１の機能的構成のうち、顔登録時自動送信処理、撮影時自動送信処理及び表示再生時自動送信処理を実行するための機能的構成を示す機能ブロック図である。
【図４】画像記憶部７２に記憶される画像管理情報のテーブルを示す模式図である。
【図５】顔登録の具体例を示す模式図である。
【図６】図３の機能的構成を有する図２の撮像装置１が実行する顔登録時自動送信処理の流れを説明するフローチャートである。
【図７】図３の機能的構成を有する図２の撮像装置１が実行する撮影時自動送信処理の流れを説明するフローチャートである。
【図８】図３の機能的構成を有する図２の撮像装置１が実行する他の撮影時自動送信処理の流れを説明するフローチャートである。
【図９】図３の機能的構成を有する図２の撮像装置１が実行する表示再生時自動送信処理の流れを説明するフローチャートである。
【発明を実施するための形態】
【０００９】
以下、本発明の実施形態について、図面を用いて説明する。
【００１０】
＜第１の実施形態＞
図１は、本発明の一実施形態に係る撮影システムＳのシステム構成を示すシステム構成図である。
【００１１】
撮影システムＳは、図１に示すように、撮像装置１と携帯端末２とを備える。
撮像装置１と携帯端末２との間では、第１通信方式である低消費電力で近距離無線通信のＢＬＥ（Ｂｌｕｅｔｏｏｔｈ  ｌｏｗ  ｅｎｅｒｇｙ，「Ｂｌｕｅｔｏｏｔｈ」は登録商標）（商標）と、第２通信方式である大容量データ通信可能な近距離無線高速通信のＷｉ−Ｆｉ（Ｗｉｒｅｌｅｓｓ  Ｆｉｄｅｌｉｔｙ）の２種類の通信方式で通信を行う。ＢＬＥは、常時接続しており、一方のＷｉ−Ｆｉでは、大容量のデータをやり取りする際に、ＢＬＥ経由で撮像装置１からの接続指示に基づいて接続を確立するように構成される。
本実施形態においては、Ｗｉ−Ｆｉ通信経由で撮像装置１で撮影された画像を携帯端末２に自動送信する。
【００１２】
図２は、本発明の一実施形態に係る撮影システムＳの撮像装置１及び携帯端末２のハードウェアの構成を示すブロック図である。
以下、まず、撮像装置１のハードウェアの構成について説明し、次いで、携帯端末２のハードウェアの構成について説明する。なお、撮像装置１のハードウェアの構成については、符号の末尾に「−１」を付すものとし、携帯端末２のハードウェアの構成については、符号の末尾に「−２」を付すものとする。
【００１３】
撮像装置１は、例えば、デジタルカメラとして構成される。
撮像装置１は、図２に示すように、ＣＰＵ（Ｃｅｎｔｒａｌ  Ｐｒｏｃｅｓｓｉｎｇ  Ｕｎｉｔ）１１−１と、ＲＯＭ（Ｒｅａｄ  Ｏｎｌｙ  Ｍｅｍｏｒｙ）１２−１と、ＲＡＭ（Ｒａｎｄｏｍ  Ａｃｃｅｓｓ  Ｍｅｍｏｒｙ）１３−１と、バス１４−１と、入出力インターフェース１５−１と、撮像部１６−１と、入力部１７−１と、出力部１８−１と、記憶部１９−１と、第１通信部２０−１と、第２通信部２１−１と、ドライブ２２−１と、を備えている。
【００１４】
ＣＰＵ１１−１は、ＲＯＭ１２−１に記録されているプログラム、又は、記憶部１９−１からＲＡＭ１３−１にロードされたプログラムに従って各種の処理を実行する。
【００１５】
ＲＡＭ１３−１には、ＣＰＵ１１−１が各種の処理を実行する上において必要なデータ等も適宜記憶される。
【００１６】
ＣＰＵ１１−１、ＲＯＭ１２−１及びＲＡＭ１３−１は、バス１４−１を介して相互に接続されている。このバス１４−１にはまた、入出力インターフェース１５−１も接続されている。入出力インターフェース１５−１には、撮像部１６−１、入力部１７−１、出力部１８−１、記憶部１９−１、第１通信部２０−１、第２通信部２１−１及びドライブ２２−１が接続されている。
【００１７】
撮像部１６−１は、図示はしないが、光学レンズ部と、イメージセンサと、を備えている。
【００１８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６−１の出力信号として出力される。
このような撮像部１６−１の出力信号を、画像のデータとして、ＣＰＵ１１−１や図示しない画像処理部等に適宜供給される。
【００２０】
入力部１７−１は、各種釦等で構成され、ユーザの指示操作に応じて各種情報を入力する。
【００２１】
出力部１８−１は、ディスプレイやスピーカ等で構成され、画像や音声を出力する。
【００２２】
記憶部１９−１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００２３】
第１通信部２０−１は、低速であるが省電力であり常時接続に適した第１通信方式で外部装置（本実施形態においては、携帯端末２）との間で行う通信を制御する。本実施形態においては、第１通信方式は、ＢＬＥの通信規格に基づいた通信方式を用いる。
【００２４】
第２通信部２１−１は、高速でありファイルの送受信に適した第２通信方式で外部装置（本実施形態においては、携帯端末２）との間で行う通信を制御する。本実施形態においては、第２通信方式は、無線ＬＡＮのうちＷｉ−Ｆｉの通信規格に基づいた通信方式を用いる。本実施形態においては、第１通信部２０−１と携帯端末２の第１通信部２０−２との間でＢＬＥでの通信が常時接続可能となるように確立し、ファイルの送受信時にＢＬＥ経由で接続指示を行い、第２通信部２１−１と携帯端末２の第２通信部２１−２との間でＷｉ−Ｆｉでの通信を確立して通信を行う。
【００２５】
ドライブ２２−１には、磁気ディスク、光ディスク、光磁気ディスク、或いは半導体メモリ等よりなる、リムーバブルメディア３１−１が適宜装着される。ドライブ２２−１によってリムーバブルメディア３１−１から読み出されたプログラムは、必要に応じて記憶部１９−１にインストールされる。また、リムーバブルメディア３１−１は、記憶部１９−１に記憶されている画像のデータ等の各種データも、記憶部１９−１と同様に記憶することができる。
【００２６】
携帯端末２は、例えば、スマートフォンとして構成される。
なお、携帯端末２において、撮像装置１と同様であるハードウェアの構成については、説明を省略する。即ち、撮像装置１のＣＰＵ１１−１乃至リムーバブルメディア３１−１と、ＣＰＵ１１−２乃至リムーバブルメディア３１−２とは同様であるため、説明を省略する。
【００２７】
このように構成される撮像装置１では、保存済みの画像（以下、「保存済み画像」という。）のうち、所定の条件を満たす画像を自動送信する機能を有する。本実施形態においては、画像から人物の顔を検出して、該当する顔が画像に含まれている場合には、自動送信の対象とする。
また、撮像装置１では、撮影時の自動送信条件では自動送信されなかった画像が、自動送信条件が変更された場合に、遡って条件を満たす保存済み画像を自動送信する機能を有する。
【００２８】
図３は、図２の撮像装置１の機能的構成のうち、顔登録時自動送信処理、撮影時自動送信処理及び表示再生時撮影時自動送信処理を実行するための機能的構成を示す機能ブロック図である。
顔登録時自動送信処理とは、顔登録をした後に続けて保存済み画像の検索を行って、該当する画像に対して自動送信処理を行う一連の処理をいう。
撮影時自動送信処理とは、撮影した画像に登録した顔が含まれている場合（撮影した画像が自動送信条件を満たす場合）に自動送信処理を行う一連の処理をいう。
【００２９】
撮影時自動送信処理を実行する場合には、図３に示すように、ＣＰＵ１１−１において、設定処理部５１と、撮影制御部５２と、表示制御部５３と、画像処理部５４と、顔検出処理部５５と、画像検索部５６と、通信制御部５７と、が機能する。
【００３０】
また、記憶部１９−１の一領域には、登録画像記憶部７１と、画像記憶部７２と、が設定される。
【００３１】
登録画像記憶部７１には、自動送信の条件となる人物の顔（以下、単に「顔」という。）の画像が記憶される。
【００３２】
画像記憶部７２には、画像のデータが記憶される。本実施形態においては、画像記憶部７２に記憶された画像が保存済み画像となる。
また、画像記憶部７２には、保存済み画像に関する各種情報（以下、「管理情報」という。）が記憶される。管理情報は、各保存済み画像の情報を項目毎に振り分けたデーブルデータである。
【００３３】
図４は、画像記憶部７２に記憶される画像管理情報のテーブルを示す模式図である。
画像管理情報は、図４に示すように、例えば、画像記憶部７２に記憶されている画像の「管理番号」，「ファイル名」，「データ量」，「撮影時刻」，「自動送信」，「送信時刻」，「顔検出」等の項目が管理される。
具体的には、「管理番号」が［１］の画像の場合には、「ファイル名」が［ＩＭＧ０００１．ｊｐｇ］であり、「データ量」が［５ＭＢ］（５ＭＢｙｔｅ）であり、「撮影時刻」が［２０１５／１２／２０／１８：５０］（２０１５年１２月２０日１８時５０分に撮影した画像）であり、「自動送信」が［○］（自動送信がされた画像）であり、「送信時刻」が［２０１５／１２／２２／１２：１０］（２０１５年１２月２２日１２時１０分に自動送信を行った画像）であり、「顔検出」が［○］（顔検出がされた画像）である。
なお、画像管理情報の「自動送信」については、どのような自動送信条件によって自動送信が行われたかの情報についても管理するように構成してもよい。
【００３４】
設定処理部５１は、画像の内容や画像に関連する情報等に基づいて、自動送信の条件を設定する。
具体的には、設定処理部５１は、画像に含まれる顔を自動送信の条件として設定するために、画像の顔登録を行う。
【００３５】
図５は、顔登録の具体例を示す模式図である。
顔登録は、図５に示すように、ユーザによって選択された顔の登録を行う対象となる画像において不特定の顔検出を行う。検出した顔からユーザによって顔登録を行う顔を選択させる。選択された顔が登録画像として登録画像記憶部７１に登録されて顔登録が完了することとなる。
【００３６】
撮影制御部５２は、ライブビュー表示用の画像を撮影するライブビュー撮影処理や保存用の画像を撮影する撮影処理を行うように撮像部１６−１を制御する。
具体的には、撮影制御部５２は、入力部１７−１に対して、ユーザによるハーフシャッタ操作があったか否かを判定する。また、撮影制御部５２は、ＡＥ（Ａｕｔｏｍａｔｉｃ  Ｅｘｐｏｓｕｒｅ）／ＡＦ（Ａｕｔｏｆｏｃｕｓ）／ＡＷＢ（Ａｕｔｏ  Ｗｈｉｔｅ  Ｂａｌａｎｃｅ）等の計測処理を実行する。また、撮影制御部５２は、入力部１７−１に対して、ユーザによるフルシャッタ操作があったか否かを判定する。また、撮影制御部５２は、撮影処理を実行するように撮像部１６−１を制御する。
【００３７】
表示制御部５３は、画像を表示するように出力部１８−１を制御する。本実施形態においては、ＹＵＶ形式の画像を表示用画像として表示するように出力部１８−１を制御する。
【００３８】
画像処理部５４は、画像のデータ形式を変更する画像処理を実行する。
具体的には、画像処理部５４は、撮像部１６−１から出力されたＢａｙｅｒ形式のＲＡＷデータの形式を、画像解析用（本実施形態においては、顔検出用）のＹＵＶ形式に変換する。また、画像処理部５４は、画像解析用のＹＵＶ形式から保存用のＪＰＥＧ（Ｊｏｉｎｔ  Ｐｈｏｔｏｇｒａｐｈｉｃ  Ｅｘｐｅｒｔｓ  Ｇｒｏｕｐ）形式に変換する。また、画像処理部５４は、保存用のＪＰＥＧ形式から画像解析用のＹＵＶ形式に変換する。
本実施形態においては、画像解析用に画像形式を変更することで、１つのアルゴリズムだけで画像解析を行うことができる。
【００３９】
顔検出処理部５５は、画像解析を行って、画像内に含まれる顔を検出する。顔検出技術は、種々の手法を用いることができるが、公知の顔検出技術を用いる。
具体的には、顔検出処理部５５は、画像に対して、顔検出処理を実行して、不特定の顔が検出された画像において、登録画像記憶部７１に登録されている顔があるか否かを判定する。
【００４０】
画像検索部５６は、設定した自動送信条件を満たす画像を検索する。
具体的には、画像検索部５６は、登録画像記憶部７１に登録されている顔が含まれている画像（自動送信条件を満たす画像）を画像記憶部７２に記憶されている画像の中から検索する。また、画像検索部５６は、登録画像記憶部７１に登録されている顔が含まれている画像（自動送信条件を満たす画像）があったか否かを判定する。
【００４１】
また、通信制御部５７は、第１通信部２０−１と携帯端末２の第１通信部２０−２との間でＢＬＥでの通信を確立して常時接続可能となるように制御する。また、通信制御部５７は、ファイルの送受信時にＢＬＥ経由で接続指示を行い、第２通信部２１−１と携帯端末２の第２通信部２１−２との間でＷｉ−Ｆｉでの通信を確立させるように制御する。
また、通信制御部５７は、Ｗｉ−Ｆｉでの通信が確立することによって、携帯端末２の第２通信部２１−２に対して送信対象の画像を自動送信する自動送信処理を実行するように第２通信部２１−１を制御する。
また、通信制御部５７は、登録画像記憶部７１に登録されている顔がある保存済み画像又は撮影画像を自動送信するように第２通信部２１−１を制御する。
【００４２】
図６は、図３の機能的構成を有する図２の撮像装置１が実行する顔登録時自動送信処理の流れを説明するフローチャートである。
図５のようにユーザ操作により選択された顔が登録画像として登録画像記憶部７１に登録されて顔登録が完了すると（自動送信条件が設定されると）、ステップＳ１１において、画像検索部５６は、設定した自動送信条件で、画像記憶部７２に記憶されている画像を検索する。
【００４３】
ステップＳ１２において、画像検索部５６は、検索された画像（以下、「検索画像」ともいう。）があったか否かを判定する。
検索された画像がない場合には、ステップＳ１２においてＮＯと判定されて、処理はステップＳ１４に進む。
検索された画像があった場合には、ステップＳ１２においてＹＥＳと判定されて、処理はステップＳ１３に進む。
【００４４】
ステップＳ１３において、通信制御部５７は、検索画像があったため、自動送信処理を実行して、顔登録を行った表示画像と、検索画像とを携帯端末２に送信するように第２通信部２１−１を制御する。
【００４５】
ステップＳ１４において、通信制御部５７は、検索画像がなかったため、自動送信処理を実行して、顔登録を行った表示画像のみを携帯端末２に送信するように第２通信部２１−１を制御する。
【００４６】
図７は、図３の機能的構成を有する図２の撮像装置１が実行する撮影時自動送信処理の流れを説明するフローチャートである。
撮影時自動送信処理は、ユーザによる入力部１７−１への撮影処理開始の操作により開始される。
なお、撮影時自動送信処理にあたり、事前に設定処理部５１によって、画像から自動送信を行う顔の登録が行われる。登録した顔は、登録画像記憶部７１に記憶される。
【００４７】
ステップＳ３１において、表示制御部５３は、ライブビュー表示を行うように出力部１８−１を制御する。
【００４８】
ステップＳ３２において、撮影制御部５２は、入力部１７−１に対して、ユーザによるハーフシャッタ操作があったか否かを判定する。
ハーフシャッタ操作がない場合には、ステップＳ３２においてＮＯと判定されて、待機状態となる。
ハーフシャッタ操作があった場合には、ステップＳ３２においてＹＥＳと判定されて、処理はステップＳ３３に進む。
【００４９】
ステップＳ３３において、撮影制御部５２は、ＡＥ／ＡＦ／ＡＷＢ等の計測処理を実行する。
【００５０】
ステップＳ３４において、撮影制御部５２は、入力部１７−１に対して、ユーザによるフルシャッタ操作があったか否かを判定する。
フルシャッタ操作がない場合には、ステップＳ３４においてＮＯと判定されて、処理はステップＳ３１に戻る。
フルシャッタ操作があった場合には、ステップＳ３４においてＹＥＳと判定されて、処理はステップＳ３５に進む。
【００５１】
ステップＳ３５において、撮影制御部５２は、撮影処理を実行するように撮像部１６−１を制御する。その結果、撮像部１６−１からＢａｙｅｒ形式のＲＡＷデータが出力される。
【００５２】
ステップＳ３６において、画像処理部５４は、撮像部１６−１から出力された画像（Ｂａｙｅｒ）のデータ形式をＹＵＶ形式に変換する。
【００５３】
ステップＳ３７において、顔検出処理部５５は、画像に対して、顔検出処理を実行する。顔検出処理の結果、画像から不特定の顔が検出される。
【００５４】
ステップＳ３８において、顔検出処理部５５は、顔検出された画像において、登録画像記憶部７１に登録されている顔があるか否かを判定する。
登録されている顔があった場合には、ステップＳ３８においてＹＥＳと判定されて、処理はステップＳ４１に進む。
登録されている顔がなかった場合には、ステップＳ３８においてＮＯと判定されて、処理は、ステップＳ３９に進む。
【００５５】
ステップＳ３９において、画像処理部５４は、画像処理を実行し、画像のデータ形式をＹＵＶ形式から記憶用のＪＰＥＧ形式に変換する。
【００５６】
ステップＳ４０において、画像処理部５４は、ＪＰＥＧ形式に変換された画像を画像記憶部７２に記憶させる。その後、処理はステップＳ３１に戻る。
【００５７】
ステップＳ４１において、画像処理部５４は、画像処理を実行し、画像のデータ形式をＹＵＶ形式から記憶用のＪＰＥＧ形式に変換する。
【００５８】
ステップＳ４２において、画像処理部５４は、ＪＰＥＧ形式に変換された画像を画像記憶部７２に記憶させる。
【００５９】
ステップＳ４３において、通信制御部５７は、画像処理部５４によりＪＰＥＧ形式に変換された画像を、自動送信処理するように第２通信部２１−１を制御する。その後、処理は、ステップＳ３１に戻る。
【００６０】
したがって、撮像装置１では、撮像時に該当する画像がある場合に、自動送信処理を行うことができる。
【００６１】
＜変形例＞
本例では、設定操作が開始されてから所定の期間内（本実施形態においては、当日）に撮影された画像を自動送信し、所定の期間が過ぎたら画像の自動送信を行わないように構成する。また、本実施形態においては、当日に撮影した全ての画像の自動送信は行わずに、当日に撮影され、かつ、登録した顔を含む画像のみを自動送信の対象とする。
具体的には、今日撮影する画像は自動送信したいが、翌日以降はとりあえず自動送信を解除しておきたいような場合のための、自動送信設定を行う。このような自動送信設定を「今日だけ自動送信設定」という。
【００６２】
図８は、図３の機能的構成を有する図２の撮像装置１が実行する他の撮影時自動送信処理の流れを説明するフローチャートである。
なお、図８は、図７において、ステップＳ３１の前段階において、ステップＳ６１〜ステップＳ６３の処理が追加され、ステップＳ３２の後にステップＳ６６及びステップＳ６７の処理が追加され、さらに、ステップＳ３６の処理とステップＳ３７の処理との間に、ステップＳ７２の処理が追加されたものである。即ち、ステップＳ３１〜ステップＳ３６の処理とステップＳ６４及びステップＳ６５，ステップＳ６８〜ステップＳ７１の処理、ステップＳ１７〜ステップＳ２３の処理とステップＳ７３〜ステップＳ７９の処理とが同様となる。同様の処理については説明を省略する。
【００６３】
ステップＳ６１において、通信制御部５７は、自動送信フラグが［１］であるか否かを判定する。自動送信フラグが［１］でない場合は、ステップＳ６１でＮＯと判定されて、ステップＳ６４に進む。一方、自動送信フラグが［１］であった場合は、ステップＳ６１でＹＥＳと判定されて、ステップＳ６２において、現在の日付を取得し、自動送信条件記憶部７３に記憶されている日付（後述）と一致するか否かを判定する。一致する場合は、ステップＳ６２でＹＥＳと判定されて、ステップＳ６４以降の処理が実行される。一方、記憶されている日付から変わり一致しない場合は、ＮＯと判定されて、ステップＳ６３において、通信制御部５７は、自動送信フラグを［０］に設定する（自動送信フラグ←０）。これにより、今日だけ自動送信処理操作があった当日が過ぎていると、自動送信フラグが［０］に変更される。
【００６４】
ステップＳ６４において、表示制御部５３は、ライブビュー表示を行うように出力部１８−１を制御する。
【００６５】
ステップＳ６５において、ハーフシャッタ操作がない場合には、ステップＳ６５においてＮＯと判定されて、ステップＳ６６において、今日だけ自動送信設定操作があったか否かを判定する。今日だけ自動送信設定操作があった場合には、ステップＳ６６においてＹＥＳと判定されて、通信制御部５７は、自動送信フラグを［１］に設定する（自動送信フラグ←１）とともに、現在の日付を取得し、自動送信条件記憶部７３に記憶する。その後、ステップＳ６８以降の処理が実行される。一方、今日だけ自動送信設定操作がない場合には、ステップＳ６６においてＮＯと判定されて、待機状態となる。
【００６６】
ステップＳ７２において、通信制御部５７は、自動送信フラグが［１］であるか否かを判定する（自動送信フラグ＝１？）。
自動送信フラグが［１］でない場合には、ステップＳ７２においてＮＯと判定されて、処理はステップＳ７５に進む。その後、画像が記憶される。
自動送信フラグが［１］である場合には、ステップＳ７２においてＹＥＳと判定されて、処理はステップＳ７３に進む。その後、登録した顔が検出された場合には、画像の記憶と、自動送信処理が行われる。
自動送信処理では、撮影した画像と同一の日付であり、登録した顔を含む画像が送信される。
【００６７】
＜第２の実施形態＞
上述した実施形態では、撮影時の自動送信について説明したが、本実施形態では画像の表示再生時の自動送信について説明する。
表示再生時には、本実施形態では、選択した保存済み画像に含まれる顔が写っている保存済み画像を全て自動送信する処理（以下、「一発自動送信処理」という。）を行う操作を、１操作で行えるように構成する。この際、自動送信条件に、日付指定を追加すると共に、設定される自動送信条件は、一時的なものとし、自動送信終了後は以前の自動送信条件に戻すように構成する。
これにより、撮像装置１では、日常的な自動送信のための自動送信条件に影響することなく、過去のある日に一緒に出かけた人の保存済み画像だけを簡単に自動送信するといったことが可能となる。
【００６８】
表示再生時自動送信処理とは、表示した画像に登録した顔が含まれている場合（表示した画像が自動送信条件を満たす場合）に自動送信処理を行う一連の処理をいう。
本実施形態の表示再生処理を実行する場合には、図３に示すように、記憶部１９−１の一領域に、自動送信条件記憶部７３がさらに設けられる。
自動送信条件記憶部７３には、満たすことで自動送信を行う自動送信の条件の情報が記憶される。自動送信の条件は、例えば、撮影日や検出した顔の画像等の情報である。
【００６９】
具体的には、画像処理部５４は、画像処理を実行し、表示再生の対象となる画像のデータ形式を画像記憶部７２に記憶されているＪＰＥＧ形式から表示再生用のＹＵＶ形式に変換する。
【００７０】
具体的には、表示制御部５３は、ＹＵＶ形式に変換された対象となる画像を表示するように出力部１８−１を制御する。
【００７１】
具体的には、顔検出処理部５５は、表示されている画像に対して、顔検出処理を実行する。
【００７２】
具体的には、通信制御部５７は、画像記憶部７２に記憶される画像管理情報を参照して、表示されている画像が既に自動送信された画像（以下、「送信済み画像」という。）であるか否かを判定する。また、通信制御部５７は、ユーザによる入力部１７−１に対する一発自動送信処理操作があったか否かを判定する。
【００７３】
具体的には、設定処理部５１は、検出した顔を自動送信条件記憶部７３の自動送信条件に設定する。また、設定処理部５１は、表示画像の撮影日を自動送信条件記憶部７３の自動送信条件に設定する。また、設定処理部５１は、自動送信条件記憶部７３に記憶される自動送信条件の設定をリセットする。
【００７４】
図９は、図３の機能的構成を有する図２の撮像装置１が実行する表示再生時自動送信処理の流れを説明するフローチャートである。
表示再生時自動送信処理は、ユーザによる入力部１７−１への表示再生時自動送信処理開始の操作により開始される。
【００７５】
ステップＳ９１において、画像処理部５４は、画像処理を実行し、表示再生の対象となる画像のデータ形式を画像記憶部７２に記憶されているＪＰＥＧ形式から表示再生用のＹＵＶ形式に変換する。
【００７６】
ステップＳ９２において、表示制御部５３は、ＹＵＶ形式に変換された対象となる画像を表示するように出力部１８−１を制御する。
【００７７】
ステップＳ９３において、通信制御部５７は、画像記憶部７２に記憶される画像管理情報を参照して、表示されている画像が送信済み画像であるか否かを判定する。
送信済み画像であった場合には、ステップＳ９３においてＹＥＳと判定されて、表示再生処理は終了する。
送信済み画像でなかった場合には、ステップＳ９３においてＮＯと判定されて、処理はステップＳ９４に進む。
【００７８】
ステップＳ９４において、通信制御部５７は、ユーザによる入力部１７−１に対する一発自動送信処理操作があったか否かを判定する。
一発自動送信処理操作がなかった場合には、ステップＳ９４においてＮＯと判定されて、表示再生処理は終了する。
一発自動送信処理操作があった場合には、ステップＳ９４においてＹＥＳと判定されて、処理はステップＳ９５に進む。
【００７９】
ステップＳ９５において、顔検出処理部５５は、表示されている画像に対して、顔検出処理を実行する。
【００８０】
ステップＳ９６において、設定処理部５１は、検出した顔を自動送信条件記憶部７３の自動送信条件に設定する。
【００８１】
ステップＳ９７において、設定処理部５１は、表示画像の撮影日を自動送信条件記憶部７３の自動送信条件に設定する。
【００８２】
ステップＳ９８において、画像検索部５６及び通信制御部５７は、自動送信処理を実行する。なお、表示再生時自動送信処理における自動送信処理は、登録時自動送信処理の自動送信処理の処理内容と同様のため説明を省略する。
自動送信処理の結果、表示画像又は検索された保存済み画像が携帯端末２に送信される。
【００８３】
ステップＳ９９において、設定処理部５１は、自動送信条件の設定をリセットする。その後、表示再生時自動送信処理は終了する。
【００８４】
上述した実施形態では、自動送信を実行する前に確認メッセージ（例えば、「自動送信を行ってもよいですか？」）を出して、ユーザに自動送信の可否を選択させるように構成してもよい。
【００８５】
また、上述した実施形態では、自動送信後に自動送信条件をリセットするように構成したが、リセットせずに、検出された顔で自動送信条件を更新するように構成してもよい。この場合、撮影日の自動送信条件はリセットする。
【００８６】
以上のように構成される撮像装置１は、画像処理部５４と、撮像部１６−１と、第２通信部２１−１と、設定処理部５１と、通信制御部５７と、を備える。
画像処理部５４は、撮像部１６−１により撮像される画像を取得して、撮影画像を生成する。
第２通信部２１−１は、撮影画像を外部装置に送信する。
設定処理部５１と、所定の条件を設定する。
通信制御部５７は、設定処理部５１により所定の条件が設定されたことを契機として、保存されている保存画像（保存済みの画像）であって、当該設定処理部５１により設定された所定の条件を満たす保存画像を外部装置に送信するように、第２通信部２１−１を制御する。
また、通信制御部５７は、設定処理部５１により所定の条件が設定された後、撮影指示を契機として、画像処理部５４に撮影画像を生成させるとともに、その生成された当該撮影画像が当該設定処理部５１により設定されている当該所定の条件を満たす場合に、その生成された当該撮影画像を外部装置に送信するように、第２通信部２１−１を制御する。
これにより、撮像装置１においては、保存済みの画像であっても容易に外部装置に送信することができる。
【００８７】
設定処理部５１により設定される所定の条件は、出力部１８−１に表示している保存画像の内容及び関連する情報のうち少なくともいずれかに基づき、設定される。
これにより、撮像装置１においては、保存画像に応じて容易に外部装置に送信することができる。
【００８８】
通信制御部５７は、設定処理部５１により所定の条件が設定されたことを契機として、出力部１８−１に表示している保存画像を外部装置に送信するように、第２通信部２１−１を制御する。
これにより、撮像装置１においては、出力部１８−１に表示している保存画像を外部装置への送信の対象とすることができる。
【００８９】
通信制御部５７は、設定処理部５１により所定の条件が設定されたことを契機として、画像処理部５４により生成された時点では所定の条件を満たさない撮影画像であって、外部装置に送信されなかった保存画像が、設定処理部５１により設定された所定の条件を満たす場合に、その保存画像を外部装置に送信するように、第２通信部２１−１を制御する。
これにより、撮像装置１においては、条件の設定を契機にして外部装置に送信されなかった保存画像の送信を行うことができる。
【００９０】
設定処理部５１が設定する所定の条件は、保存画像の内容である人物の顔と同じ人物の顔が含まれていることである。
これにより、撮像装置１においては、特定の人物の顔が写る保存画像を外部装置への送信の対象とすることができる。
【００９１】
通信制御部５７は、使用者による所定の１操作に応じて、出力部１８−１に表示している保存画像の内容及び関連する情報のうち少なくともいずれかに基づき、設定処理部５１に所定の条件を設定させるとともに、その設定された所定の条件を満たす保存画像を外部装置に送信するように、第２通信部２１−１を制御する。
これにより、撮像装置１においては、１操作で保存画像の外部装置への送信を可能とすることができ、簡単な操作で自動送信の設定から実行することができる。
【００９２】
通信制御部５７は、第２通信部２１−１による送信する処理が終了すると、所定の条件を、使用者による所定の１操作以前の状態に戻すように、設定処理部５１を制御する。
これにより、撮像装置１においては、外部装置への送信後に送信の設定をリセットすることができる。
【００９３】
設定処理部５１が設定する所定の条件は、保存画像に関連する情報である撮影時刻に基づく所定の時間の範囲に含まれていることである。
これにより、撮像装置１においては、所定の時間内の保存画像を外部装置への送信の対象とすることができる。
【００９４】
設定処理部５１により設定される所定の条件は、使用者により設定操作が行われる日に撮影されることである。
これにより、撮像装置１においては、設定操作の日に撮影された画像を外部装置への送信の対象とすることができる。
【００９５】
画像処理部５４は、所定の条件を満たすか否かを判定する処理を実行するために判定対象の形式を同一の形式に変更する。
これにより、撮像装置１においては、所定の条件を満たすか否かを判定する処理の実行のために、形式に対応した処理手法（アルゴリズム）を用意する必要がなく、共通の１つの処理手法（アルゴリズム）で行うことができる。
【００９６】
なお、本発明は、上述の実施形態に限定されるものではなく、本発明の目的を達成できる範囲での変形、改良等は本発明に含まれるものである。
【００９７】
上述の実施形態では、保存画像は、自装置で撮影され保存された画像に限らず、装置がアクセス可能な範囲で他装置やクラウドに保存されている画像であってもよい。
【００９８】
また、上述の実施形態では、自動送信条件のうち、関連する情報として、撮影時の位置情報（その位置に所定の範囲の近い位置で撮影された画像）や画像のアスペクト比（表示画像が１：１のアスペクト比で撮影された画像であれば、同じアスペクト比）等であってもよい。
【００９９】
また、上述の実施形態では、自動送信条件のうち、画像の内容として、画像の色（表示画像の空に相当する色の領域の割合が所定の範囲で近い割合の画像）等であってもよい。
【０１００】
また、上述の実施形態では、自動送信したくない人物の顔を設定した場合には、自動送信を行わないように構成することができる。
【０１０１】
また、上述の実施形態では、画像は外部装置である携帯端末２に自動送信するように構成したが、これに限られず、例えば、外部のサーバ等の外部装置や外部メモリを自動送信先にするように構成してもよい。
【０１０２】
また、上述の実施形態では、撮影又は表示再生時に自動送信条件を満たした場合には、撮影又は表示再生されている画像と、該当する保存画像を自動送信の対象とするように構成したが、撮影又は表示再生されている画像のみを自動送信の対象として保存画像については自動送信の対象としない設定をさらに設けるように構成してもよい。
【０１０３】
また、上述の実施形態では、画像管理情報は、画像記憶部７２にテーブル化されて一括に記憶するように構成したが、画像ファイルのヘッダに個別に記憶するように構成してもよい。
【０１０４】
また、上述した実施形態では、ＪＰＥＧ形式の保存画像から生成したＹＵＶ形式の画像に対して顔検出処理を実行するように構成したが、ＶＲＡＭ（Ｖｉｄｅｏ  Ｒａｎｄｏｍ  Ａｃｃｅｓｓ  Ｍｅｍｏｒｙ）の展開データに対して処理を実行するように構成してもよい。
【０１０５】
また、上述の実施形態では、本発明が適用される撮像装置１は、デジタルカメラを例として説明したが、特にこれに限定されない。
例えば、本発明は、顔登録時自動送信処理機能、撮影時自動送信処理機能及び表示再生時自動送信処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１０６】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【０１０７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１０８】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【０１０９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１１０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１１】
以下に、本願の出願当初の特許請求の範囲に記載された発明を付記する。
［付記１］
撮像手段により撮像される画像を取得して、撮影画像を生成する撮影手段と、
前記撮影画像を外部装置に送信する画像送信手段と、
所定の条件を設定する設定手段と、
前記設定手段により所定の条件が設定されたことを契機として、保存されている保存画像であって、当該設定手段により設定された前記所定の条件を満たす保存画像を外部装置に送信するように、前記画像送信手段を制御する第１の制御手段と、
前記設定手段により前記所定の条件が設定された後、撮影指示を契機として、前記撮影手段に前記撮影画像を生成させるとともに、その生成された当該撮影画像が当該設定手段により設定されている当該所定の条件を満たす場合に、その生成された当該撮影画像を前記外部装置に送信するように、前記画像送信手段を制御する第２の制御手段と、
を備えることを特徴とする撮像装置。
［付記２］
前記設定手段により設定される前記所定の条件は、表示手段に表示している前記保存画像の内容及び関連する情報のうち少なくともいずれかに基づき、設定される、
ことを特徴とする付記１に記載の撮像装置。
［付記３］
前記第１の制御手段は、前記設定手段により前記所定の条件が設定されたことを契機として、前記表示手段に表示している前記保存画像を前記外部装置に送信するように、前記画像送信手段を制御する、
ことを特徴とする付記２に記載の撮像装置。
［付記４］
前記第１の制御手段は、前記設定手段により前記所定の条件が設定されたことを契機として、前記撮影手段により生成された時点では当該所定の条件を満たさない前記撮影画像であって、前記第２の制御手段の制御によっては前記外部装置に送信されなかった当該保存画像が、当該設定手段により設定された当該所定の条件を満たす場合に、その保存画像を前記外部装置に送信するように、前記画像送信手段を制御する、
ことを特徴とする付記２又は３に記載の撮像装置。
［付記５］
前記設定手段が設定する前記所定の条件は、前記保存画像の内容である人物の顔と同じ人物の顔が含まれていることである、
ことを特徴とする付記２乃至４の何れか１つに記載の撮像装置。
［付記６］
使用者による所定の１操作に応じて、表示手段に表示している保存画像の内容及び関連する情報のうち少なくともいずれかに基づき、前記設定手段に前記所定の条件を設定させるとともに、その設定された当該所定の条件を満たす前記保存画像を前記外部装置に送信するように、前記画像送信手段を制御する第３の制御手段、を更に備える、
ことを特徴とする付記１乃至５の何れか１つに記載の撮像装置。
［付記７］
前記第３の制御手段は、前記画像送信手段による送信する処理が終了すると、前記所定の条件を、使用者による前記所定の１操作以前の状態に戻すように、前記設定手段を制御する、
ことを特徴とする付記６に記載の撮像装置。
［付記８］
前記設定手段が設定する前記所定の条件は、前記保存画像に関連する情報である撮影時刻に基づく所定の時間の範囲に含まれていることである、
ことを特徴とする付記１乃至７の何れか１つに記載の撮像装置。
［付記９］
前記設定手段により設定される前記所定の条件は、使用者により設定操作が行われる日に撮影されることである、
ことを特徴とする付記１乃至８の何れか１つに記載の撮像装置。
［付記１０］
前記所定の条件を満たすか否かを判定する処理を実行するために判定対象の形式を同一の形式に変更する変更手段、を更に備える、
ことを特徴とする付記１乃至９の何れか１つに記載の撮像装置。
［付記１１］
撮像手段と、画像送信手段とを備える撮像装置で実行される送信制御方法であって、
前記撮像手段により撮像される画像を取得して、撮影画像を生成する撮影処理と、
所定の条件を設定する設定処理と、
前記設定処理により所定の条件が設定されたことを契機として、保存されている保存画像であって、当該設定処理により設定された前記所定の条件を満たす保存画像を外部装置に送信するように、前記画像送信手段を制御する第１の制御処理と、
前記設定処理により前記所定の条件が設定された後、撮影指示を契機として、前記撮影処理において前記撮影画像を生成させるとともに、その生成された当該撮影画像が当該設定処理により設定されている当該所定の条件を満たす場合に、その生成された当該撮影画像を前記外部装置に送信するように、前記画像送信手段を制御する第２の制御処理と、
を含むことを特徴とする送信制御方法。
［付記１２］
撮像手段と、画像送信手段とを備える撮像装置を制御するコンピュータに、
前記撮像手段により撮像される画像を取得して、撮影画像を生成する撮影機能と、
所定の条件を設定する設定機能と、
前記設定機能により所定の条件が設定されたことを契機として、保存されている保存画像であって、当該設定機能により設定された前記所定の条件を満たす保存画像を外部装置に送信するように、前記画像送信手段を制御する第１の制御機能と、
前記設定機能により前記所定の条件が設定された後、撮影指示を契機として、前記撮影機能で前記撮影画像を生成させるとともに、その生成された当該撮影画像が当該設定機能により設定されている当該所定の条件を満たす場合に、その生成された当該撮影画像を前記外部装置に送信するように、前記画像送信手段を制御する第２の制御機能と、
を実現させることを特徴とするプログラム。
【符号の説明】
【０１１２】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・第１通信部，２１・・・第２通信部，２２・・・ドライブ，３１・・・リムーバブルメディア，５１・・・設定処理部，５２・・・撮影制御部，５３・・・表示制御部，５４・・・画像処理部，５５・・・顔検出処理部，５６・・・画像検索部，５７・・・通信制御部，７１・・・登録画像記憶部７１・・・画像記憶部，７３・・・自動送信条件記憶部，Ｓ・・・撮影システム
【図１】
2017157936.tif 000003
【図２】
2017157936.tif 000004
【図３】
2017157936.tif 000005
【図４】
2017157936.tif 000006
【図５】
2017157936.tif 000007
【図６】
2017157936.tif 000008
【図７】
2017157936.tif 000009
【図８】
2017157936.tif 000010
【図９】
2017157936.tif 000011